【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
遊技者による所定動作を演出に供されるように受付対象とする第１動作受付手段と、
遊技者による特定動作を演出に供されるように受付対象とする第２動作受付手段と、
判定を行う判定手段と、
前記判定手段による判定の結果に基づいて図柄変動を行う図柄変動手段と、
前記図柄変動にて特別態様が現れると遊技者に特典を付与しうる特典付与手段と、
第１演出条件が満たされたとき、前記第１動作受付手段によって遊技者による所定動作の受付けが許容される第１の受付期間を発生させる第１演出を実行可能であり、該第１演出の前記第１の受付期間内において所定動作の受付けがなされると、該受付けがなされたことに基づいて受付後演出を実行可能な第１受付演出実行手段と、
第２演出条件が満たされたとき、前記第２動作受付手段によって遊技者による特定動作の受付けが許容される第２の受付期間を発生させる第２演出を実行可能であり、該第２演出の前記第２の受付期間内において特定動作の受付けがなされると、該受付けがなされたことに基づいて受付後演出を実行可能な第２受付演出実行手段と、
前記第１演出の前記第１の受付期間内において所定動作の受付けがなされなかったとき、該第１の受付期間内において所定動作の受付けがなされたときと同じ受付後演出を実行可能な第１自動演出手段と、
前記第２演出の前記第２の受付期間内において特定動作の受付けがなされなかったとき、該第２の受付期間内において特定動作の受付けがなされたときと同じ受付後演出を実行可能な第２自動演出手段と
を備え、
前記第１自動演出手段によって受付後演出が実行される場合、少なくとも該受付後演出が実行開始されてからの所定の期間で、前記所定動作が受付対象であることを示唆する表示が行われており、
前記第２自動演出手段によって受付後演出が実行される場合、少なくとも該受付後演出が実行開始されてからの所定の期間で、前記特定動作が受付対象であることを示唆する表示が行われており、
さらに、
前記判定手段による判定の結果に基づいて図柄変動が行われる場合、該図柄変動が開始されてから終了されるまでの一の変動期間内で前記第１演出条件が満たされて前記第１演出が実行される割合と、前記第２演出条件が満たされて前記第２演出が実行される割合とが異なるようになっており、
さらに、
前記所定動作が受付対象であることを示唆する表示は、前記第１動作受付手段によって遊技者による所定動作の受付けが許容される期間内においても表示可能とされ、その表示態様として第１態様及び第２態様が少なくとも用意されており、
前記第１動作受付手段によって遊技者による所定動作の受付けが許容される期間内で前記所定動作が受付対象であることを示唆する表示が前記第１態様で表示されている場合は、当該期間内において所定動作の受付けがなくても該受付けがあったときと同じ受付後演出が生じるが、
前記第１動作受付手段によって遊技者による所定動作の受付けが許容される期間内で前記所定動作が受付対象であることを示唆する表示が前記第２態様で表示されている場合は、当該期間内において所定動作の受付けがなくても該受付けがあったときと同じ受付後演出が生じる場合と、当該期間内において所定動作の受付けがないときに該受付けがあったときと同じ受付後演出を生じさせない場合との両方があるようになっており、
さらに、
前記第１動作受付手段によって遊技者による所定動作の受付けが許容される期間の発生に際しては、該所定動作の受付けが許容されるタイミングよりも前から特定の前演出表示が表示される場合があり、該特定の前演出表示は、該所定動作の受付けが許容されるタイミングを跨るかたちで表示可能とされており、
前記第１動作受付手段によって遊技者による所定動作の受付けが許容される期間内において前記特定の前演出表示が表示されているときに前記所定動作の受付けがなされた場合、該特定の前演出表示は、該受付けに応じた受付後演出が出現開始される時点で非表示の状態にされておらず表示されており、該受付後演出が実行途中の状況にあるなかで非表示の状態にされる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣が低下することが懸念される。
【手続補正３】
【補正対象書類名】明細書
【補正対象項目名】０００７
【補正方法】変更
【補正の内容】
【０００７】
手段１：遊技者による所定動作を演出に供されるように受付対象とする第１動作受付手段と、
遊技者による特定動作を演出に供されるように受付対象とする第２動作受付手段と、
判定を行う判定手段と、
前記判定手段による判定の結果に基づいて図柄変動を行う図柄変動手段と、
前記図柄変動にて特別態様が現れると遊技者に特典を付与しうる特典付与手段と、
第１演出条件が満たされたとき、前記第１動作受付手段によって遊技者による所定動作の受付けが許容される第１の受付期間を発生させる第１演出を実行可能であり、該第１演出の前記第１の受付期間内において所定動作の受付けがなされると、該受付けがなされたことに基づいて受付後演出を実行可能な第１受付演出実行手段と、
第２演出条件が満たされたとき、前記第２動作受付手段によって遊技者による特定動作の受付けが許容される第２の受付期間を発生させる第２演出を実行可能であり、該第２演出の前記第２の受付期間内において特定動作の受付けがなされると、該受付けがなされたことに基づいて受付後演出を実行可能な第２受付演出実行手段と、
前記第１演出の前記第１の受付期間内において所定動作の受付けがなされなかったとき、該第１の受付期間内において所定動作の受付けがなされたときと同じ受付後演出を実行可能な第１自動演出手段と、
前記第２演出の前記第２の受付期間内において特定動作の受付けがなされなかったとき、該第２の受付期間内において特定動作の受付けがなされたときと同じ受付後演出を実行可能な第２自動演出手段と
を備え、
前記第１自動演出手段によって受付後演出が実行される場合、少なくとも該受付後演出が実行開始されてからの所定の期間で、前記所定動作が受付対象であることを示唆する表示が行われており、
前記第２自動演出手段によって受付後演出が実行される場合、少なくとも該受付後演出が実行開始されてからの所定の期間で、前記特定動作が受付対象であることを示唆する表示が行われており、
さらに、
前記判定手段による判定の結果に基づいて図柄変動が行われる場合、該図柄変動が開始されてから終了されるまでの一の変動期間内で前記第１演出条件が満たされて前記第１演出が実行される割合と、前記第２演出条件が満たされて前記第２演出が実行される割合とが異なるようになっており、
さらに、
前記所定動作が受付対象であることを示唆する表示は、前記第１動作受付手段によって遊技者による所定動作の受付けが許容される期間内においても表示可能とされ、その表示態様として第１態様及び第２態様が少なくとも用意されており、
前記第１動作受付手段によって遊技者による所定動作の受付けが許容される期間内で前記所定動作が受付対象であることを示唆する表示が前記第１態様で表示されている場合は、当該期間内において所定動作の受付けがなくても該受付けがあったときと同じ受付後演出が生じるが、
前記第１動作受付手段によって遊技者による所定動作の受付けが許容される期間内で前記所定動作が受付対象であることを示唆する表示が前記第２態様で表示されている場合は、当該期間内において所定動作の受付けがなくても該受付けがあったときと同じ受付後演出が生じる場合と、当該期間内において所定動作の受付けがないときに該受付けがあったときと同じ受付後演出を生じさせない場合との両方があるようになっており、
さらに、
前記第１動作受付手段によって遊技者による所定動作の受付けが許容される期間の発生に際しては、該所定動作の受付けが許容されるタイミングよりも前から特定の前演出表示が表示される場合があり、該特定の前演出表示は、該所定動作の受付けが許容されるタイミングを跨るかたちで表示可能とされており、
前記第１動作受付手段によって遊技者による所定動作の受付けが許容される期間内において前記特定の前演出表示が表示されているときに前記所定動作の受付けがなされた場合、該特定の前演出表示は、該受付けに応じた受付後演出が出現開始される時点で非表示の状態にされておらず表示されており、該受付後演出が実行途中の状況にあるなかで非表示の状態にされる
ことを特徴とする遊技機。
【手続補正４】
【補正対象書類名】明細書
【補正対象項目名】０００８
【補正方法】削除
【補正の内容】